(57)【特許請求の範囲】
【請求項１】
筐体内に空気を取り込む空気吸込口と前記筐体内から外部へ空気を放出する空気吹出口とを有し、
前記筐体内に、前記空気吸込口と前記空気吹出口とを連通させる通風路を有し、
前記通風路に、取り込んだ空気を除塵する集塵ユニットと送風機を有する空気清浄機であって、
前記筐体は、少なくとも前面と、背面と、上面と、底面と、左側面と、右側面とを有し、
前記空気吸込口は、前記筐体の前面側における、前記上面と前記底面と前記左側面と前記右側面とに配置され、
前記空気吹出口は、前記筐体の背面側における、前記上面と前記左側面と前記右側面とに配置されると共に、前記上面に配置された空気吹出口は前記筐体の左右方向全体に亘って設けられ、前記左側面と前記右側面とに配置された空気吹出口は前記筐体の上下方向全体に亘って設けられ、
前記送風機は、スクロールハウジングを備えないターボファンを有し、
前記通風路に、取り込んだ空気を脱臭する脱臭ユニット、もしくは、取り込んだ空気を加湿する加湿ユニットのうち少なくとも一方を備え、
前記脱臭ユニットおよび／または前記加湿ユニットは、前記集塵ユニットの下流側に配置された、
ことを特徴とする空気清浄機。
【請求項２】
前記空気吸込口は、同空気吸込口が前記筐体の前面中央側に向かって傾斜し、
前記空気吹出口は、同空気吹出口が前記筐体の背面中央側に向かって傾斜している、
ことを特徴とする請求項１に記載の空気清浄機。
【請求項３】
前記筐体の背面側が、部屋の側壁面に対向するように配置して用いられる、
請求項１または請求項２に記載の空気清浄機。
【請求項４】
前記筐体内において、前記空気吸込口から前記空気吹出口に向かう方向に、前記集塵ユニット、前記脱臭ユニットおよび／または前記加湿ユニット、前記送風機の順に配置されている、
ことを特徴とする請求項１乃至請求項３に記載の空気清浄機。
【請求項５】
前記集塵ユニットは電気集塵機で構成され、
前記脱臭ユニットは、多孔構造を有する基材に臭気成分を分解および／または吸着する脱臭層が設けられている脱臭フィルタを有している、
ことを特徴とする請求項１乃至請求項４に記載の空気清浄機。
【発明の詳細な説明】
【技術分野】
【０００１】
本発明は、筐体内部に取り込んだ空気を浄化して部屋に放出する空気清浄機に関する。
【背景技術】
【０００２】
従来、空気清浄機として、本体筐体内に設けられた送風機の駆動によって本体筐体内に吸い込んだ空気に含まれる塵埃を集塵フィルタで補集して空気を除塵するものがある（例えば、特許文献１参照）。特許文献１に記載されているのは、空気清浄機の一種である除塵装置であり、前壁と後壁とが底壁および複数枚の支持部材で連結されて直方体形状に形成されたハウジング（筐体）と、ハウジング内部に配置される遠心ファンと、前部フィルタユニットと、２枚の側部フィルタおよび１枚の上部フィルタを有している。
【０００３】
前壁には、中央部に貫通孔を有する凹部が設けられており、この凹部に綿埃や繊維くず等の比較的大きな塵埃を除去できるパイル式フィルタを備えた前部フィルタユニットが嵌め込まれる。上述したように、ハウジングは前壁と後壁とが底壁および複数枚の支持部材で連結されて形成されているので、ハウジングの上部および左右側部は外部に開放された状態となっており、ハウジングの上部には上部フィルタが配置され、ハウジングの左右側部の各々には側部フィルタが配置される。上部フィルタおよび側部フィルタは、たばこの臭気成分や花粉等の微細な塵埃を除去できる不織布で形成されている。
【０００４】
以上説明した除塵装置で遠心ファンを回転させると、前部フィルタユニットを介して前壁の貫通孔からハウジング内部に空気が吸い込まれる。ハウジング内部に吸い込まれた空気に含まれる比較的大きな塵埃は、前部フィルタユニットを通過する際にパイル式フィルタによって除去される。そして、ハウジング内部に吸い込まれた空気は、上部フィルタを介してハウジングの上部から吹き出されるとともに、側部フィルタを介してハウジングの左右側部から吹き出される。このとき、前部フィルタユニットで除去できなかった微細な塵埃は、上部フィルタおよび側部フィルタを通過する際に除去されて空気から除去される。また、ハウジングの上部および左右側部から上方および左右方向の３方向へ浄化後の空気を吹き出すので、除塵装置が設置された部屋の空気の循環がよくなる。
【先行技術文献】
【特許文献】
【０００５】
【特許文献１】特開２０００−１６７３２６号公報
【発明の概要】
【発明が解決しようとする課題】
【０００６】
しかし、特許文献１に記載の除塵装置では、前壁の貫通孔から前部フィルタユニットを介してハウジング内部に空気を吸い込む必要があるため、前部フィルタユニットの背面に加えて、前部フィルタユニットの前面にも網目が設けられている。これにより、除塵装置の意匠性が向上できないという問題があった。
【０００７】
本発明は以上述べた問題点を解決し、設置された部屋の空気の循環を良くしつつ、意匠性を向上させた空気清浄機を提供することを目的とする。
【課題を解決するための手段】
【０００８】
本発明は上述の課題を解決するものであって、本発明の空気清浄機は、筐体内に空気を取り込む空気吸込口と筐体内から外部へ空気を放出する空気吹出口とを有し、筐体内に空気吸込口と空気吹出口とを連通させる通風路を有し、通風路に、取り込んだ空気を除塵する集塵ユニットと送風機を有する。筐体は、少なくとも前面と、背面と、上面と、底面と、左側面と、右側面とを有し、空気吸込口は、筐体の前面側における上面と底面と左側面と右側面とに配置されると共に、前記上面に配置された空気吹出口は前記筐体の左右方向全体に亘って設けられ、前記左側面と前記右側面とに配置された空気吹出口は前記筐体の上下方向全体に亘って設けられ、空気吹出口は、筐体の背面側における上面と左側面と右側面とに配置される。送風機は、スクロールハウジングを備えないターボファンを有する。通風路には、取り込んだ空気を脱臭する脱臭ユニット、もしくは、取り込んだ空気を加湿する加湿ユニットのうち少なくとも一方を備え、脱臭ユニットおよび／または加湿ユニットは、集塵ユニットの下流側に配置される。
【発明の効果】
【０００９】
本発明の空気清浄機は、筐体の背面側の上面および左右側面の３か所に空気吹出口を設けることで、空気清浄機が設置された部屋の空気の循環を良くしている。また、筐体の前面側の上下面および左右側面の４カ所に空気吸込口を設け、筐体の前面には空気吸込口を設けないため、意匠性が向上する。さらに、スクロールハウジングを備えないターボファンを備え、集塵ユニットの下流側に脱臭ユニットもしくは加湿ユニットの少なくとも一方を配置することで、騒音を低減しつつ、ショートサーキットの発生を抑制できる。
【図面の簡単な説明】
【００１０】
【図１】本発明の実施形態における、空気清浄機の外観斜視図である。
【図２】本発明の実施形態における、空気清浄機の上面図である。
【図３】図１におけるＸ−Ｘ断面図である。
【図４】図１におけるＹ−Ｙ断面図である。
【図５】本発明の実施形態における要部斜視図であり、集塵ユニットの配置説明図である。
【図６】本発明の実施形態における要部斜視図であり、脱臭ユニットおよび加湿ユニットの配置説明図である。
【図７】本発明の実施形態における要部斜視図であり、送風機の配置説明図である。
【図８】本発明の実施形態における、吸い込み空気および吹き出し空気の流れを説明する図面であり、（Ａ）は空気清浄機の空気吸込口から吸い込まれる空気の流れと空気吹出口から吹き出される空気の流れを、（Ｂ）は空気清浄機が設置された部屋の空気の循環をそれぞれ示している。
【発明を実施するための形態】
【００１１】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１２】
図１および図２に示すように、本発明の一実施形態である空気清浄機１は、各々合成樹脂材で成形された天面パネル１１ａ、右側面パネル１１ｂ、左側面パネル１１ｃ、底部１１ｄで略直方体状に形成された本体部１１を有し、本体部１１の一方の面に合成樹脂材で成形された前面パネル１２が配置され、他方の面に合成樹脂材で成形されたリアパネル１４が配置されている。本体部１１と前面パネル１２とリアパネル１４とで、本発明の空気調和装置１の筐体が形成される。また、天面パネル１１ａと前面パネル１２の上端部とリアパネル１４の上端部で形成される面が筐体の上面であり、右側面パネル１１ｂと前面パネル１２の右側端部とリアパネル１４の右側端部とで形成される面が筐体の右側面であり、左側面パネル１１ｃと前面パネル１２の左側端部とリアパネル１４の左側端部とで形成される面が筐体の左側面であり、底部１１ｄと前面パネル１２の下端部とリアパネル１４の下端部とで形成される面が筐体の底面である。
尚、以降の説明において、必要に応じ本体部１１の前面パネル１２配置側を前面側、本体部１１のリアパネル１４配置側を背面側と称する。
【００１３】
前面パネル１２の前方には、合成樹脂材で形成されたフロントパネル１３が配置される。フロントパネル１３と前面パネル１２との間には、上下／左右に４カ所の隙間が形成され、これら４カ所の隙間は、筐体の上面、底面、および左右側面のそれぞれの前面側に形成される。筐体上面の前面側に形成される隙間が上面吸込口１３ａ、筐体右側面の前面側に形成される隙間が右側面吸込口１３ｂ、筐体左側面の前面側に形成される隙間が左側面吸込口１３ｃ、筐体底面の前面側に形成される隙間が底面吸込口１３ｄとされる。これら上面吸込口１３ａ、右側面吸込口１３ｂ、左側面吸込口１３ｃ、底面吸込口１３ｄが本発明の空気吸込口である。
【００１４】
また、本体部１１とリアパネル１４との間には、上／左右に３か所の隙間が形成され、これら３カ所の隙間は、筐体の上面および左右側面のそれぞれの背面側に形成される。筐体上面の背面側に形成される隙間が上面吹出口１４ａ、筐体右側面の背面側に形成される隙間が右側面吹出口１４ｂ、筐体左側面の背面側に形成される隙間が左側面吹出口１４ｃとされる。これら上面吹出口１４ａ、右側面吹出口１４ｂ、左側面吹出口１４ｃが本発明の空気吹出口である。
【００１５】
空気清浄機１では、上面吸込口１３ａ、右側面吸込口１３ｂ、左側面吸込口１３ｃ、および底面吸込口１３ｄから本体部１１に吸い込んだ空気を、上面吹出口１４ａ、右側面吹出口１４ｂ、および左側面吹出口１４ｃから室内に吹き出す間に、空気の除塵・加湿および脱臭が行われる。
【００１６】
尚、図３および図４に示すように、上面吸込口１３ａ、右側面吸込口１３ｂ、左側面吸込口１３ｃ、および底面吸込口１３ｄと、上面吹出口１４ａ、右側面吹出口１４ｂ、および左側面吹出口１４ｃとを連通する本体部１１内部の空間が、本発明の空気清浄機１における通風路１０となる。また、以下の説明では、必要に応じて通風路１０における各吸込口側を上流側、各吹出口側を下流側として説明する。
【００１７】
空気清浄機１の筐体上面には、上面吸込口１３ａの一部を覆うように操作部１５が設けられている。操作部１５は、電源ボタンや運転モード切り換えボタン等の空気清浄機１を操作するボタンが配置されるとともに、空気清浄機１の運転状態や図示しない塵埃センサ等の検出器における検出結果を表示する表示部が配置されている。
【００１８】
図３に示すように、空気清浄機１の本体部１１内部の通風路１０には、上流側から下流側に向かって順に、プレフィルタ２１、集塵ユニット２２、脱臭ユニット２３、加湿ユニット２４、送風機２５が配置されている。
【００１９】
プレフィルタ２１は、例えば糸状のＰＥＴ材を編みこんで網目構造としたものであり、本体部１１内部に吸い込まれる空気に含まれる塵埃を除去する。図４に示すように、プレフィルタ２１は、本体部前面側に向かって凸となるようなアーチ形状に形成されているので、プレフィルタ２１を平坦な形状とする場合と比べて、上面吸込口１３ａ、右側面吸込口１３ｂ、左側面吸込口１３ｃ、および底面吸込口１３ｄから本体部１１内部に吸い込まれた空気がプレフィルタ２１を通過する面積が大きくなるので、より多くの塵埃を除去することができる。
【００２０】
図３および図５に示すように、集塵ユニット２２は、第１電気集塵機２２ａと第２電気集塵機２２ｂとで構成されており、第１電気集塵機２２ａと第２電気集塵機２２ｂとは上下方向に並べて配置されている。第１電気集塵機２２ａおよび第２電気集塵機２２ｂは、図示しない放電電極と集塵電極とを有し、放電電極によるコロナ放電によりプレフィルタ２１で除去できなかった細かな塵埃や花粉等を帯電させ、帯電した塵埃や花粉等を集塵電極で除去する。第１電気集塵機２２ａおよび第２電気集塵機２２ｂは、主に上述した放電電極や集塵電極、および、これらを保持する筐体で形成されているので、集塵ユニット２２は、背景技術で説明した不織布をプリーツ形状に形成した集塵フィルタに比べて空気抵抗が小さい。
尚、図５においては、集塵ユニット２２（第１電気集塵機２２ａおよび第２電気集塵機２２ｂ）が視認しやすいようにするために、フロントパネル１３の描画を省略している。
【００２１】
図３、図４および図６に示すように、脱臭ユニット２３は、脱臭フィルタ２３ａと加熱部２３ｆとを有する。図６に示すように、脱臭フィルタ２３ａは、例えば、平板材と波形に連続屈曲した屈曲材とを交互に積層してなる波形構造やハニカム構造のような多孔構造の基材を円板形状に形成してなり、その基材２３ａａに臭気成分を吸着して分解する触媒層２３ａｂを設けたものである。図３および図４に示すように、加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち本体部前面側に配置された放熱板２３ｃに取り付けられて、２枚の放熱板２３ｃを加熱する。２枚の放熱板２３ｃは、各々が略三角形状に形成された金属板であり、図３および図４に示すように、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより本体前面側に配置された放熱板２３ｃだけではなく、本体背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
このように、脱臭フィルタ２３ａは多孔構造を有しており、また、加熱部２３ｆが脱臭フィルタ２３ａの一部のみ覆う構造となっているので、脱臭フィルタ２３ａの空気抵抗は小さい。
【００２２】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層２３ａｂに吸着されていた臭気成分の分解が促進され、脱臭フィルタ２３ａの脱臭能力が再生される。尚、脱臭フィルタ２３ａが回転するのではなく、放熱板２３ｃが移動することによって脱臭フィルタ２３ａを加熱してもよい。また、脱臭ユニット２３は上記に限らず、加熱手段（ＰＴＣヒータ２３ｂおよび放熱板２３ｃ）を設けず、触媒層の代わりに活性炭のような臭気成分の吸着材を基材に添加した脱臭フィルタで脱臭ユニットを構成し、吸着能力が低下すれば新しい脱臭フィルタに交換するようにしてもよい。
【００２３】
図３、図４および図６に示すように、加湿ユニット２４は、加湿フィルタ２４ａと水を貯留する貯水タンク２４ｂとを有する。加湿フィルタ２４ａは、円板形状に形成されてその一部が貯水タンク２４ｂに溜められた水に浸った状態で回転軸により回転可能に支持されており、図示しないモータにより回転するようになっている。尚、加湿ユニット２４は上記に限らず、回転によって水分を吸い上げる加湿フィルタ２４ａに代えて、毛細管現象によって水分を吸い上げる加湿フィルタであってもよい。また、図６においては、脱臭ユニット２３や加湿ユニット２４が視認しやすいようにするために、フロントパネル１３や底部１１ｄ以外の本体部１１を構成する部材、集塵ユニット２２等の描画を適宜省略している。
【００２４】
図３、図４および図７に示すように、送風機２５は、ターボファン２５ａとファンモータ２５ｂとを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、空気清浄機１内部へ空気が流入あるいは空気清浄機１内部から空気が流出する。尚、図７においては、送風機２５が視認しやすいようにするために、フロントパネル１３や底部１１ｄ以外の本体部１１を構成する部材、集塵ユニット２２、脱臭機集ユニット２３、加湿ユニット２４等の描画を適宜省略している。
【００２５】
次に、図８を用いて、以上説明した構成を有する空気清浄機１が運転を行っているときの、空気清浄機１の動作および空気清浄機１が設置される部屋の空気の流れについて説明する。空気清浄機１は、図８（Ｂ）に示す、天井面３００ａ、床面３００ｂ、および４面の側壁面３００ｃとで形成される部屋３００に設置され、空気清浄機１のリアパネル１４が、側壁面３００ｃのうちの１面に対向するように近接して配置されている。使用者が操作部１５を操作して空気清浄機１の運転を開始すると、送風機２５が駆動するとともに、集塵ユニット２２の第１電気集塵機２２ａおよび第２電気集塵機２２ｂに通電が開始され、加湿ユニット２４の加湿フィルタ２４ａが回転を開始する。送風機２５が駆動すると、図８（Ａ）に示す破線矢印１００のように、上面吸込口１３ａ、右側面吸込口１３ｂ、左側面吸込口１３ｃ、および底面吸込口１３ｄの４方向の吸込口から本体部１１内部に空気が吸い込まれる。
【００２６】
本体部１１内部に吸い込まれた空気は、１）通風路１０における脱臭ユニット２３の下部と加湿ユニット２４の上部とが前後方向に重なって配置される箇所では、プレフィルタ２１→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→集塵ユニット２２→脱臭ユニット２３の順に、または、プレフィルタ２１→集塵ユニット２２→加湿ユニット２４の順に、それぞれ流れる。このとき、プレフィルタ２１および通電されている集塵ユニット２２で吸い込まれた空気に含まれる塵埃や花粉が除去される。また、脱臭ユニット２３で吸い込まれた空気に含まれる臭気成分が除去されるとともに、加湿ユニット２４で吸い込まれた空気が加湿される。
【００２７】
通風路１０において除塵・脱臭および加湿が行われた空気は、図８（Ａ）に示す実線矢印２００のように、上面吹出口１４ａ、右側面吹出口１４ｂ、および左側面吹出口１４ｃの３方向の吹出口から空気清浄機１が設置された室内に吹き出される。このとき、各空気吹出口から空気が吹き出された空気は、図８（Ｂ）に同じく実践矢印２００で示すように、部屋３００の天井面３００ａと側壁面３００ｃに沿って空気清浄機１が配置された側壁面３００ｃの反対側の側壁面３００ｃ、つまり、空気清浄機１からみて部屋３００の奥側に向かって流れていく。具体的には、上面吹出口１４ａから吹き出された空気は、天井面３００ａに沿って部屋３００の奥側に向かって流れていき、右側面吹出口１４ｂから吹き出された空気は、右側の側壁面３００ｃに沿って部屋３００の奥側に向かって流れていき、左側面吹出口１４ｃから吹き出された空気は、左側の側壁面３００ｃに沿って部屋３００の奥側に向かって流れていく。
【００２８】
以上説明したように、空気清浄機１が設置された部屋３００を包み込むように浄化・加湿された空気が吹き出されるとともに、リアパネル１４が側壁面３００ｃのうちの１面に対向するように近接して配置された空気清浄機１の上面吸込口１３ａ、右側面吸込口１３ｂ、左側面吸込口１３ｃ、および底面吸込口１３ｄの４方向の吸込口から部屋３００の空気を吸い込むので、部屋３００の空気の流れが良くなって部屋３００の空気をまんべんなく吸い込んで除塵・加湿および脱臭できる。また、床面３００ｂに付着・散乱している塵埃や花粉、臭気成分等を底面吸込口１３ｄから吸い込まれる空気によって空気清浄機１に吸い込むことができるので、床面３００ｂ上も含めた部屋３００の空気の循環を良くして部屋３００全体の空気をより効果的に浄化できる。
【００２９】
また、本発明の空気清浄機１は、筐体の前面側に形成された空間を上面吸込口１３ａ、右側面吸込口１３ｂ、左側面吸込口１３ｃ、および底面吸込口１３ｄとしている。従って、筐体の前面であるフロントパネル１３に空気吸込口を設けないため、空気清浄機１の意匠性が向上する。
【００３０】
また、集塵ユニット２２は、背景技術で説明した不織布をプリーツ形状に形成した集塵フィルタに比べて空気抵抗が小さく、また、脱臭ユニット２３も、背景技術で説明した触媒フィルタとほぼ同面積となるよう形成された板形状の加熱部を有する脱臭ユニットに比べて空気抵抗が小さい。これにより、シロッコファンと比べて静圧が低い、つまり、同じ空気抵抗がある場合においてシロッコファンより風量が小さいが、シロッコファンと比べて効率が高く騒音が小さいターボファン２５ａを送風機２５に用いることができるので、必要な集塵能力や脱臭能力を確保しつつ騒音を抑制した空気清浄機１を実現できる。尚、ターボファン２５ａは、シロッコファンが備えるスクロールハウジングが不要なことから、シロッコファンより小型化と薄型化ができる。
【００３１】
また、集塵ユニット２２や脱臭ユニット２３の空気抵抗が小さいので、図３乃至図７に示したように、通風路１０の上流側から下流側に向かって、集塵ユニット２２、脱臭ユニット２３、加湿ユニット２４、送風機２５の順に並べて配置しても空気抵抗がさほど大きくならないので、送風機２５の駆動によって本体部１１内部の通風路１０を流れる空気量が低下しない。そして、上記のように各構成を並べて配置することによって、本体部１１が前後（奥行き）方向の寸法が長くなり、かつ、本体部１１の前面側に各空気吸込口を配置し本体部１１の背面側に各空気吹出口を配置しているので、図４に示す各空気吸込口と各空気吹出口との距離Ｌを大きくすることができる。これにより、各空気吹出口から室内に吹き出された空気がすぐに各空気吸込口から空気清浄機１内部に吸い込まれる、所謂空気吸込口と空気吹出口との間のショートサーキットの発生が抑制される。尚、上述したように、脱臭ユニット２３より上流側に集塵ユニット２２が配置されているので、脱臭ユニット２３に流入する空気は塵埃や花粉等が除去されており、塵埃や花粉等によって脱臭ユニット２３の脱臭フィルタ２３ａが目詰まりすることがない。
【００３２】
さらには、図３および図４に示すように、送風機２５において、各空気吸込口から各空気吹出口に向かってファンモータ２５ｂ、ターボファン２５ａの順に配置されている、つまり、各空気吸込口から最も遠い場所にターボファン２５ａが配置されており、ターボファン２５ａの配置に対応して各空気吹出口が配置されているので、各空気吸込口と各空気吹出口との距離Ｌをより大きくすることができ、よりショートサーキット発生の抑制効果が得られる。尚、ターボファン２５ａとファンモータ２５ｂの配置順は、上記と逆であってもよい。
【００３３】
上述したショートサーキットが発生しづらい距離Ｌを実現できるので、筐体の前面側に形成される上下／左右の４つの隙間を、空気清浄機１内部に空気を吸込むための上面吸込口１３ａ、右側面吸込口１３ｂ、左側面吸込口１３ｃ、および底面吸込口１３ｄとすることができるとともに、筐体の背面側に形成される上／左右の３つの空間を、空気清浄機１内部から空気を吹き出すための上面吹出口１４ａ、右側面吹出口１４ｂ、および左側面吹出口１４ｃとすることができる。これにより、空気吸込口および空気吹出口の面積を大きくでき、空気の吸い込み量や吹き出し量を十分に確保できる。
【００３４】
尚、図３の線分Ｐに示すように、ファンモータ２５ｂの中心の高さを、集塵ユニット２２の第１電気集塵機２２ａと第２電気集塵機２２ｂとの間の空間の高さに合せるように、集塵ユニット２２および送風機２５を配置することが望ましい。ファンモータ２５ｂの中心付近には、ターボファン２５ａの回転による空気の流れが少ないため、本体部１１内部におけるファンモータ２５ｂの中心付近の空間での空気の流れは少ないと考えられる。そこで、集塵ユニット２２のうち空気が通過しても集塵能力のない第１電気集塵機２２ａと第２電気集塵機２２ｂとの間の空間の高さを、ファンモータ２５ｂの中心の高さに合わせることによって、空気の流れが多いと考えられる、ターボファン２５ａの羽根が存在する空間に第１電気集塵機２２ａと第２電気集塵機２２ｂとを配置することとなるので、効率的に集塵ユニット２２での除塵が行える。
【００３５】
尚、以上説明した実施形態では、空気清浄機１が略直方体形状の筐体を有する場合を例に挙げて説明したが、これに限るものではなく、上面、底面、および左右側面を有し、これら各面に空気吸込口や空気吹出口が設けられる多面体形状であればよい。
【符号の説明】
【００３６】
１  空気清浄機
１０  通風路
１１  本体部
１２  前面パネル
１３  フロントパネル
１３ａ  上面吸込口
１３ｂ  右側面吸込口
１３ｃ  左側面吸込口
１３ｄ  底面吸込口
１４  リアパネル
１４ａ  上面吹出口
１４ｂ  右側面吹出口
１４ｃ  左側面吹出口
１５  操作部
２１  プレフィルタ
２２  集塵ユニット
２２ａ  第１電気集塵機
２２ｂ  第２電気集塵機
２３  脱臭ユニット
２３ａａ  基材
２３ａｂ  触媒層
２３ａ  脱臭フィルタ
２３ｂ  ＰＴＣヒータ
２３ｃ  放熱板
２３ｆ  加熱部
２４  加湿ユニット
２４ａ  加湿フィルタ
２４ｂ  貯水タンク
２５  送風機
２５ａ  ターボファン
２５ｂ  ファンモータ
３００  部屋
３００ｃ  側壁面
【図１】
0006020843.tif 000002
【図２】
0006020843.tif 000003
【図３】
0006020843.tif 000004
【図４】
0006020843.tif 000005
【図５】
0006020843.tif 000006
【図６】
0006020843.tif 000007
【図７】
0006020843.tif 000008
【図８】
0006020843.tif 000009